(57)【要約】  【課題】  ユーザに特別な手順を踏ませることなく臨場感や迫力感のあるダイジェストプリントを得ることができる印刷装置を提供することにある。  【解決手段】  動画中の音声レベルに基づいて動画ダイジェストプリントのコマのサイズや動画のフレームの抽出間隔を決定することにより、上記課題を解決する。【選択図】  図２
2012135933.tif 000002
【特許請求の範囲】
【請求項１】
音声情報を含む動画像データから所定のフレームの画像データを取得するフレーム画像抽出手段と、
印刷コマ数を決定するコマ数決定手段と、
前記動画像データのフレームの中で印刷に用いるフレームを決定するフレーム選択手段と、
前記動画像データの音声信号の大きさを測定する音量測定手段と、
前記音量測定手段の測定結果に基づいて前記フレーム選択手段によって選択された前記動画像のフレームの印刷サイズを決定する印刷画像サイズ決定手段と、
を有することを特徴とする印刷装置。
【請求項２】
前記コマ数決定手段は印刷装置に設定されている用紙サイズによってコマ数を決定することを特徴とする請求項１に記載の印刷装置。
【請求項３】
前記フレーム選択手段は動画像の最初から最後までを前記コマ数決定手段によって決定されたコマ数分だけ等間隔に選択することを特徴とする請求項１又は請求項２に記載の印刷装置。
【請求項４】
前記フレーム選択手段は前記音量測定手段によって得られた音量の大きさに基づいて抽出間隔が決定されることを特徴とする請求項１乃至請求項３の何れか１項に記載の印刷装置。
【請求項５】
前記印刷画像サイズ決定手段は各印刷画像のサイズを前期音量測定手段によって得られた各フレームに対応する音声レベルと比例させることを特徴とする請求項１乃至請求項４の何れか１項に記載の印刷装置。
【請求項６】
前記印刷画像サイズ決定手段は既定値Ｎ個の閾値と前期音量測定手段によって得られた各フレームに対応する音声レベルとの比較によって各印刷画像のサイズを決定することを特徴とする請求項１乃至請求項４の何れか１項に記載の印刷装置。
【請求項７】
前記印刷画像サイズ決定手段は前記音量測定手段によって得られた最も音量の大きいフレームの印刷画像サイズのみを大きくすることを特徴とする請求項１乃至４の何れか１項に記載の印刷装置。
【請求項８】
音声情報を含む動画像データから所定のフレームの画像データを取得するフレーム画像抽出手段と、
印刷コマ数を決定するコマ数決定手段と、
前記動画像データの音声信号の大きさを測定する音量測定手段と、
前記音量測定手段の測定結果に基づいて抽出するフレームを決定するフレーム選択手段と、を有することを特徴とする印刷装置。
【発明の詳細な説明】
【技術分野】
【０００１】
本発明は、カメラから取得した電子像信号を記録用紙に視認可能にプリント出力する印刷装置に関する。
【背景技術】
【０００２】
従来、カメラに保持された動画像データから抽出された複数のフレームを連続的に並べてプリントする、いわゆるダイジェストプリントを行う方法として、カメラで記録された動画像データのフレームを均等に抽出し一枚の用紙に並べてプリントする方法が提案されている（例えば、特許文献１参照）。
【０００３】
前記従来の方法ではユーザは複雑な操作を行うことなく一枚の用紙に動画のダイジェストを印刷することができる。
【先行技術文献】
【特許文献】
【０００４】
【特許文献１】特開2006-211283号公報
【発明の概要】
【発明が解決しようとする課題】
【０００５】
しかしながら、上記従来の方法では動画全体から均等にフレームを抽出するため動画の臨場感や迫力感を伝えるのが困難であるという問題があった。
【０００６】
本発明の目的は、ユーザに特別な手順を踏ませることなく臨場感や迫力感のあるダイジェストプリントを得ることができるプリンタシステム及びその印刷制御方法、並びにプログラムを提供することにある。
【課題を解決するための手段】
【０００７】
上記目的を達成するための本発明に係る印刷装置の構成は、音声情報を含む動画像データから所定のフレームの画像データを取得するフレーム画像抽出手段と、印刷コマ数を決定するコマ数決定手段と、前記動画像データのフレームの中で印刷に用いるフレームを決定するフレーム選択手段と、前記動画像データの音声信号の大きさを測定する音量測定手段と、前記音量測定手段の測定結果に基づいて前記フレーム選択手段によって選択された前記動画像のフレームの印刷サイズを決定する印刷画像サイズ決定手段と、を有することを特徴とする。
【発明の効果】
【０００８】
本発明によれば、ユーザ選択された動画像データに付随する音声データの音量によって自動で対応する部分のコマを拡大もしくはコマの抽出間隔を細かくする処理を施すので、ユーザは複雑な操作をすることなく、臨場感や迫力感のあるダイジェストプリントを得ることができる。
【図面の簡単な説明】
【０００９】
【図１】本発明の一実施形態に係る印刷装置の機能ブロックを示す図である。
【図２】本発明の一実施形態に係る処理フロー全体を示す図である。
【図３】本発明の一実施形態に係る抽出フレーム決定方法を示す図である。
【図４】本発明の一実施形態に係る処理結果の例１（音声レベルのグラフ (a)と印刷物(b)）を示す図である。
【図５】本発明の一実施形態に係る処理結果の例２（音声レベルのグラフ (a)と印刷物(b)）を示す図である。
【図６】本発明の一実施形態に係る処理結果の例３（音声レベルのグラフ (a)と印刷物(b)）を示す図である。
【発明を実施するための形態】
【００１０】
［実施例１］
図１は本発明を適用できる印刷装置１００の機能ブロック図である。印刷装置１００は、これを制御し、各種データ演算を行うＣＰＵ１０１、ＣＰＵ１０１で実行されるプログラムや各種データを予め格納しておくＲＯＭ１０２、ＣＰＵ１０１が動作中に各種データを格納するＲＡＭ１０３、カメラなどで撮影された動画データなどが格納された外部記憶媒体３００とのインターフェース部である外部記憶装置Ｉ/Ｆ１０４、ユーザが操作するためのボタンやその状態を読み取るユーザインターフェース１０５、印刷対象の動画や画像、印刷装置１の設定などを表示する画像表示モジュール１０６、動画像からフレームを切り出し、印刷サイズにリサイズ処理を行い印刷データを生成する画像処理モジュール１０７、プリントヘッドや給排紙モータ等を備え画像処理モジュール１０７によって作成された印刷データを印刷するプリントモジュール１０８、カメラ２００等と接続しＵＳＢによるデータ送受信を行うＩ／Ｏポート部１０９を備えている。
【００１１】
以下、図１を参照して、本発明の実施例の動作を説明する。
【００１２】
図２は本発明の実施形態における処理フローの図であるＳ１０１においてユーザはダイジェストプリントの対象となる動画像を選択し、Ｓ１０２に進む。Ｓ１０２において印刷する用紙を選択するが、印刷装置はそれに設置されている用紙によって自動で選択してもよいし、ユーザインターフェース１０５におけるボタン類などによってユーザに選択させてもよい。
【００１３】
Ｓ１０３ではＳ１０２で選択された用紙サイズに基づいてダイジェストプリントにおける印刷コマ数を決定し、Ｓ１０４へ進む。Ｓ１０４ではＳ１０１で選択された動画像内の音声情報を取得する。Ｓ１０５ではＳ１０３で決定されたコマ数分だけＳ１０１で選択された動画像のフレームを選択する。選択するフレームは動画フレームの中から等間隔にコマ数分だけ選択してもよいし、例えば図３で表すような方法で音声情報に基づいて選択してもよい(図３については後述する)。Ｓ１０６ではＳ１０５で選択された各フレームの印刷コマサイズを対応する音声レベルに基づいて計算する。ここでの計算は各フレームのコマの大きさをそれに対応する音声レベルの大きさと比例させてもよいし、図５に表すように音声レベルをＮ等分し、各範囲毎にコマサイズを変更してもよい。更に図６で表すように各フレームに対応する音量レベルの最も大きいコマのみのサイズを大きくし、他のコマのサイズは同じとしてもよい。Ｓ１０７では画像処理モジュール１０７によってＳ１０５で選択されたフレームをＳ１０６で計算されたサイズにリサイズ、配置して印刷データを生成する。最後にＳ１０８でプリントモジュール１０８によってＳ１０７で生成された印刷データを実際の用紙に印刷する。
【００１４】
図３は図２のＳ１０５において音声情報に基づいて選択するフレーム間隔を決定する際の一つの処理例である。Ｓ１０５１は図２のＳ１０４において取得された音声情報から最小値と最大値を取得し、音声レベル全体を０から１の間の値に正規化する。Ｓ１０５２では初期値として動画像中から図２のＳ１０３で決定されたコマ数分だけ等間隔にフレームを選択し、各フレームの疎密度を１とする。ここでこの疎密度は選択された各々のフレームの前後に選択されているフレームとのフレーム間隔数を初期状態でのフレーム間隔数で割った値で表現する。Ｓ１０５３では選択された各フレームに対応する正規化された音声レベルと各フレームの疎密度の積の中から最小値と最大値を算出し、Ｓ１０５４で前記最小値と最大値の差が所定の閾値Ｔ未満もしくは繰り返し回数が所定の回数より大きかったら処理を終了する。Ｓ１０５３で算出された最小値と最大値の差が所定の閾値Ｔ以上かつ繰り返し回数が所定の回数以下であったらＳ１０５５に進む。Ｓ１０５５ではＳ１０５３で算出された最小値に対応するフレームを削除し、Ｓ１０５６ではＳ１０５３で算出された最大値に対応するフレームとその一つ後のフレームの中間に新たにフレームを追加する。Ｓ１０５７で削除追加されたフレームとその周辺のフレームの疎密度を再計算し、Ｓ１０５３に戻る。この一連の処置を繰り返すことによって動画中の音声レベルの小さな部分の選択間隔は大きくなり、音声レベルの大きな部分の選択間隔は小さくなる。
【００１５】
以上のような処理を行うことによって音声レベルの大きな部分を強調した動画ダイジェストプリントを実現することができる。
【００１６】
なお、上記処理における動画データはカメラ２００で外部記憶媒体３００に保存されたものを外部記憶媒体Ｉ/Ｆ１０４を通じて読み込んでもよいし、カメラと有線もしくは無線接続し、Ｉ/Ｏポート部１０９を通じて読み込んで処理してもよい。
【００１７】
また以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。その場合、プログラムの機能を有していれば、オブジェクトコード、インタプリタにより実行されるプログラム、ＯＳに供給するスクリプトデータ等、プログラムの形態を問わない。プログラムを供給するための記録媒体としては、例えば、ハードディスク、磁気テープ等の磁気記録媒体、光／光磁気記憶媒体、不揮発性の半導体メモリでもよい。また、プログラムの供給方法としては、コンピュータネットワーク上のサーバに本発明を形成するコンピュータプログラムを記憶し、接続のあったクライアントコンピュータがコンピュータプログラムをダウンロードしてプログラムするような方法も考えられる。
【符号の説明】
【００１８】
印刷装置  １００
ＣＰＵ  １０１
【図１】
2012135933.tif 000003
【図２】
2012135933.tif 000004
【図３】
2012135933.tif 000005
【図４】
2012135933.tif 000006
【図５】
2012135933.tif 000007
【図６】
2012135933.tif 000008